(57)【特許請求の範囲】
【請求項１】
無線通信システムにおいて複数個の異種通信モジュールを備える端末の干渉制御方法であって、
セルラー通信を遂行する第１通信モジュールを通じてセルラー網に接続する接続段階と、
前記第１通信モジュールと第２通信モジュールの間の装置内共存（ｉｎ−ｄｅｖｉｃｅ
ｃｏｅｘｉｓｔｅｎｃｅ、ＩＤＣ）干渉を感知する段階と、
前記ＩＤＣ干渉を受ける周波数帯域を含む制御情報を生成する段階と、
前記ＩＤＣ干渉を回避するために、前記制御情報を基地局に伝送する段階と、
前記ＩＤＣ干渉に相応するＩＤＣ干渉通信動作の終了を感知すると、前記ＩＤＣ干渉が終了したことを指示する終了情報を生成する段階と、
前記生成された終了情報を前記基地局に伝送する段階とを含み、
前記周波数帯域は、前記第１通信モジュールと関連がある少なくとも１つのキャリアを含む
ことを特徴とする端末の干渉制御方法。
【請求項２】
前記生成する段階は、
前記第２通信モジュールが動作する周波数帯域が前記第１通信モジュールが動作する周波数帯域からあらかじめ設定された距離以内に離隔された周波数帯域を前記ＩＤＣ干渉を受ける周波数帯域で決定する段階をさらに含む
ことを特徴とする請求項１記載の端末の干渉制御方法。
【請求項３】
前記基地局からハンドオーバー命令が受信されるのか判断する段階と、
ハンドオーバー命令受信時、前記ハンドオーバー命令に従ってハンドオーバーする段階とをさらに含む
ことを特徴とする請求項１記載の端末の干渉制御方法。
【請求項４】
無線通信システムにおいてセルラー通信を遂行する第１通信モジュールと前記第１通信モジュールと異種の通信を遂行する第２通信モジュールの間に発生する干渉を制御する装置であって、
前記第１通信モジュールは、
基地局と信号を送受信する送受信機と、
前記第１通信モジュールと第２通信モジュールの間の装置内共存（ｉｎ−ｄｅｖｉｃｅ  ｃｏｅｘｉｓｔｅｎｃｅ、ＩＤＣ）干渉を感知する干渉通信感知判断部と、
前記ＩＤＣ干渉感知時、前記ＩＤＣ干渉を受ける周波数帯域を含む制御情報を生成し、前記ＩＤＣ干渉を回避するために、前記制御情報を基地局に伝送し、前記ＩＤＣ干渉に相応するＩＤＣ干渉通信動作の終了を感知すると、前記ＩＤＣ干渉が終了したことを指示する終了情報を生成し、前記生成された終了情報を前記基地局に伝送するように制御する制御部とを含み、
前記周波数帯域は、前記第１通信モジュールと関連がある少なくとも１つのキャリアを含む
ことを特徴とする干渉制御装置。
【請求項５】
前記制御部は、
前記第２通信モジュールが動作する周波数帯域が前記第１通信モジュールが動作する周波数帯域からあらかじめ設定された距離以内に離隔された周波数帯域を前記ＩＤＣ干渉を受ける周波数帯域で決定する
ことを特徴とする請求項４記載の干渉制御装置。
【請求項６】
前記制御部は、
前記基地局からハンドオーバー命令が受信されるのか判断し、ハンドオーバー命令受信時、ハンドオーバー命令に従ってハンドオーバーするように制御する
ことを特徴とする請求項４に記載の干渉制御装置。
【発明の詳細な説明】
【技術分野】
【０００１】
本発明は、無線通信システムに関するもので、より詳しくは端末機内の異種無線通信モジュールが共存する場合、相互間の干渉を回避する方法に関する。
【背景技術】
【０００２】
近年、スマートフォンの急激な普及によって無線ＬＡＮとブルートゥース、ＧＰＳの需要及び使用が急増している。このような趨勢によって一つの端末機内に多くの通信技術(例えば、既存セルラー網技術(ＬＴＥ/ＵＭＴＳ)、無線ＬＡＮとブルートゥース、ＧＮＳＳ/ＧＰＳ)が共存する場合が増加するようになり、このような異種通信技術が同時に使用される場合、互いに間の干渉問題が台頭された。上記イシューに対し、３ＧＰＰではＩｎ−Ｄｅｖｉｃｅ  Ｃｏｅｘｉｓｔｅｎｃｅ(以下「ＩＤＣ」と称する)という名に論議されている。
【０００３】
一方、ＬＴＥ/ＵＭＴＳ通信技術は多様な周波数帯域で動作する一方、ブルートゥースや無線ＬＡＮのような通信技術はＩＳＭ(Ｉｎｄｕｓｔｒｉａｌ、Ｓｃｉｅｎｔｉｆｉｃ  ａｎｄ  Ｍｅｄｉｃａｌ)帯域（２４００〜２４８３．５ＭＨｚ）で動作する。特に、ＬＴＥ/ＵＭＴＳ通信技術が用いる多くの帯域の中、Ｂａｎｄ４（２３００〜２４００ＭＨｚ）とＢａｎｄ７の上向きリンク部分(２５００〜２５７０ＭＨｚ)帯域の場合、ブルートゥースと無線ＬＡＮが用いているＩＳＭ帯域と引接しているので、同時に通信する場合、１つの通信技術における送信信号が他の通信技術における受信信号として受信され深刻な干渉を起こす問題が発生するようになる。
【０００４】
したがって、端末機内に互いに相違する通信モジュールが存在する場合、相互間の干渉を減らすことができる方法に対する研究が必要な実情である。
【発明の概要】
【発明が解決しようとする課題】
【０００５】
本発明は、上記のような問題点を解決するために創案されたもので、端末機内に異種の通信モジュールが存在する場合(例えば、ＬＴＥとＷｉ−Ｆｉ、或いはＬＴＥとブルートゥース、或いはＬＴＥとＧＰＳ等)、相互間の干渉を回避するための方法及び装置を提供することをその目的とする。
【課題を解決するための手段】
【０００６】
上記問題を解決するための１つの手段で、端末機内の他の異種の通信モジュール(例えば、無線ＬＡＮ或いはブルートゥース)が動作する場合、選好する或いは非選好する周波数帯域のリストを網に報告してハンドオーバーを誘導する。
【０００７】
上記問題を解決するための手段の他の方法で、端末機は端末機内の通信モジュール(例えば、無線ＬＡＮ或いはブルートゥース)のために問題が発生する素地があるバンドに対しては ‘キャンプオン’(端末の休止状態で基地局信号を待ちながら待機)しない(基地局の接続優先順位を端末機が自意的に調整)。そして、ネットワーク(再)進入(例えば、ＬＴＥのＲＲＣ ｃｏｎｎｅｃｔｉｏｎ  ｓｅｔｕｐ)過程で選好或いは非選好周波数帯域のリストを網に報告する。
【０００８】
より具体的に、上記のような問題点を解決するための本発明の無線通信システムにおいて複数個の異種通信モジュールを備える端末の干渉制御方法は、セルラー通信を遂行する第１通信モジュールを通じてセルラー網に接続する接続段階、第２通信モジュールに対する駆動要請を受信する受信段階、及び上記第１通信モジュールの通信に干渉を与えないように上記第２通信モジュールの駆動を制御する制御段階を含むことを特徴とする。
【０００９】
また、本発明の無線通信システムにおいて複数個の異種通信モジュールを備える端末の干渉制御方法は、第２通信モジュールに対する駆動要請を受信する受信段階、セルラー通信を遂行する第１通信モジュールと上記第２通信モジュールが動作する周波数帯域を用いて選好帯域又は非選好帯域を選定する選定段階、上記選好帯域又は非選好帯域によって基地局接続に対する優先順位を設定する設定段階、及び設定された優先順位によって基地局接続手続きを遂行する接続段階をさらに含むことを特徴とする。
【００１０】
また、本発明の無線通信システムにおいてセルラー通信を遂行する第１通信モジュールと上記第１通信モジュールと異種の通信を遂行する第２通信モジュールの間に発生する干渉を制御する装置であって、上記第１通信モジュールは、基地局と信号を送受信する送受信機、上記第２通信モジュールの駆動要請を感知し、上記第２通信モジュール駆動の上記第１通信モジュールの通信に対して干渉するか否かを判断して出力する干渉通信感知判断部、及びセルラー網接続状態で上記干渉通信感知判断部から干渉通知受信の際、上記第１通信モジュールの通信に干渉を与えないように上記第２通信モジュールの駆動を制御する制御部を含むことを特徴とする。
【００１１】
また、本発明の無線通信システムにおいてセルラー通信を遂行する第１通信モジュールと上記第１通信モジュールと異種の通信を遂行する第２通信モジュールの間に発生する干渉を制御する装置であって、上記第１通信モジュールは、基地局との信号を送受信する送受信機、上記第２通信モジュールの駆動要請を感知し、上記第２通信モジュール駆動の上記第１通信モジュールの通信に対して干渉するか否かを判断して出力する干渉通信感知判断部、及び休止状態で上記干渉通信感知判断部から干渉通知受信の際、セルラー通信を遂行する第１通信モジュールと上記第２通信モジュールが動作する周波数帯域を用いて選好帯域又は非選好帯域を選定し、上記選好帯域又は非選好帯域によって基地局接続に対する優先順位を設定し、設定された優先順位によって基地局接続手続きを遂行するように制御する制御部を含むことを特徴とする。
【発明の効果】
【００１２】
本発明で提案する方法を利用すれば、異種の通信モジュールを搭載した端末は干渉が激しい周波数帯域の使用を減らすことによって通信を円滑に遂行することができる。
【図面の簡単な説明】
【００１３】
【図１】現在３ＧＰＰで移動通信のために使用する周波数の中、ＩＳＭ帯域に引接した周波数帯域を図式化した図である。
【図２】本発明で提案する、セルラー網に対して接続状態にある端末の干渉回避過程を示すフローチャートである。
【図３】本発明で提案する、セルラー網に休止状態(ｉｄｌｅ  ｓｔａｔｅ)にある端末３０１の干渉回避過程を示すフローチャートである。
【図４Ａ】本発明の実施例によってセルラーシステムに接続した端末の干渉制御過程を示すフローチャートである。
【図４Ｂ】本発明の実施例によって基地局２０３がセルラーに接続した端末２０１の干渉を制御する過程を示すフローチャートである。
【図５Ａ】本発明の実施例によってセルラーシステムに対して休止状態にある端末３０１の干渉制御過程を示すフローチャートである。
【図５Ｂ】本発明の実施例によって基地局３０３がセルラーシステムに対して休止状態にある端末３０１の干渉の制御過程を示すフローチャートである。
【図６】本発明の実施例による端末の内部構造を示すブロック図である。
【図７】本発明の実施例による基地局の内部構造を示すブロック図である。
【発明を実施するための形態】
【００１４】
本発明におけるセルラー通信(又は移動通信)技術は、説明の便宜のために、ＬＴＥ(Ｌｏｎｇ  Ｔｅｒｍ  Ｅｖｏｌｕｔｉｏｎ)システムを基準で説明するが、一般的なセルラー通信技術に共に適用されることは勿論である。
以下、添付された図面を参照して本発明の好ましい実施例を詳しく説明する。この際、添付図面において、同一の構成要素はできるだけ同一の番号を付けることに留意すべきである。なお、本発明の要旨を濁すことができる公知機能及び構成に対する詳細な説明は省略であろう。
【００１５】
図１は現在３ＧＰＰ(３ｒｄ  Ｇｅｎｅｒａｔｉｏｎ  Ｐａｒｔｎｅｒｓｈｉｐ  Ｐｒｏｊｅｃｔ)で移動通信のために用いる周波数の中, ＩＳＭ帯域(Ｉｎｄｕｓｔｒｉａｌ、Ｓｃｉｅｎｔｉｆｉｃ  Ｍｅｄｉｃａｌ Ｂａｎｄ)に引接した周波数帯域を図式化する図面である。
【００１６】
図１において、移動通信基地局がＢａｎｄ４０を用いる際、無線ＬＡＮがチャンネル１番を使用する場合、干渉現象が激しくなり、移動通信基地局がＢａｎｄ７を使用する時、無線ＬＡＮチャンネルがチャンネル１３番或いは１４番を使用する場合に干渉現象が激しくなることを分かる。しかし、このような干渉現象は移動通信基地局の位置及び使用周波数と、無線ＬＡＮなどの使用チャンネル、そしてトラフィックパターン等によって動的に変わることができる値であるので、状況に当たる干渉回避技術が必要である。
【００１７】
以下、本発明の異種通信モジュールを搭載した端末が干渉が激しい周波数帯域の使用を減らして通信を円滑に遂行することができる方法に対して記述する。この場合、本発明ではセルラー網に接続状態にある端末の干渉回避方法及びセルラー網に接続しない状態の端末の干渉回避方法を区分して記述する。
【００１８】
以下、後述する本発明の端末は、異種の通信モジュール、すなわち、セルラー網と無線通信を遂行する第１通信モジュールと、セルラー網以外のネットワーク又はアクセスポイントと近距離又は遠距離の無線通信を遂行する第２通信モジュールを含むことができる。この場合、上記第１通信モジュールは移動基地局を使用するセルラー通信モジュールであることができ、上記２通信モジュールは端末のセルラー通信(例えば,ＬＴＥ通信)に対して干渉を与える可能性がある通信を遂行する無線ＬＡＮ(Ｗｉ−Ｆｉ)モジュール、ブルートゥースモジュール、ＧＰＳ(Ｇｌｏｂａｌ  Ｐｏｓｉｔｉｏｎｉｎｇ  Ｓｙｓｔｅｍ)モジュールの中で少なくとも１つを含むことができる。
【００１９】
図２は本発明で提案する、セルラー網に対して接続状態にある端末の干渉回避過程を示すフローチャートである。図２において、図示される内容は端末(ＵＥ２０１)と基地局(ＥＮＢ２０３)の動作に関する説明である。
【００２０】
まず、端末２０１は２０５段階でネットワーク接続手続きを経て基地局２０３に接続(ＲＲＣ ｃｏｎｎｅｃｔｉｏｎ  ｓｅｔｕｐ)する。そして端末２０１は２０７段階で、第２通信モジュールが駆動されるとか、或いは駆動要請されたことを感知する。これは端末２０１がセルラー通信(例えば、ＬＴＥ通信技術)に対して‘潜在的に干渉を与えることができる通信技術(以下、干渉通信(ｉｎｔｅｒｆｅｒｉｎｇ  ｃｏｍｍｕｎｉｃａｔｉｏｎ  ｔｅｃｈｎｏｌｏｇｙ、ｉｎｔｅｒｆｅｒｉｎｇ  ＣＴ)と表記)’がすぐ始まることを感知することを意味する。上記感知方法で端末２０１がＧＰＳ或いは無線ＬＡＮ或いはブルートゥースのスタートボタン(或いは電源ボタン)を使用者がオンすることを感知する方法があり得て、或いはセルラー基地局からの受信信号を測定しながら感知する方法も使用されることができる。
【００２１】
感知後、上記端末２０１は２０９段階及び２１１段階を通じて上記基地局２０３と通信して上記端末２０１が干渉通信(ｉｎｔｅｒｆｅｒｉｎｇ  ＣＴ)から干渉を受けるはずことで予想されるＬＴＥ帯域で動作しないように信号を取り交わす。このような動作のために、端末２０１は先に、相対的に干渉通信(ｉｎｔｅｒｆｅｒｉｎｇ  ＣＴ)から干渉が少ない選好帯域を選定することができる。選定手続きは次のようである。
【００２２】
１．端末２０１はすぐ始まる、或いは動作中の干渉通信(ｉｎｔｅｒｆｅｒｉｎｇ  ＣＴ)の動作帯域を確認する。これを「Ａ帯域」と言う。
２.端末２０１は現在動作中のセルラーシステム(例えば、ＬＴＥ/ＵＭＴＳ/ＧＳＭ（登録商標）システム)の帯域を確認する。これを「Ｂ帯域」と言う。
３.端末２０１はＢ帯域がＡ帯域からあらかじめ設定された距離(例えば、ｘＭＨｚ) 
【００２３】
以上で離隔された帯域を選好帯域と設定する。また、端末２０１はＢ帯域がＡ帯域からあらかじめ設定された距離(例えば、ｘＭＨｚ)以下で離隔された帯域を非選好帯域と設定する。ここであらかじめ設定された距離（ｘ）値は基地局から受信することもでき、固定された値であることもできる。又は、端末の信号フィルタリング能力等によって決定される値であることもできる。
【００２４】
端末２０１は上記過程を通じて選好帯域リスト又は非選好帯域リストを生成して貯蔵することができる。
【００２５】
一方、図1では端末が干渉通信要請を受信した後に、上記選好帯域リスト又は非選好帯域リストを生成する手続きに対して記述したが、必ずこのような手順にだけ限定されることではない。例えば、干渉通信技術を用いる周波数帯域は固定された値を用いるので、端末は工場出庫時点から選好帯域リスト又は非選好帯域リストをあらかじめ備えることもできる。
【００２６】
選好帯域リスト又は非選好帯域リスト生成後、端末２０１は現在セルラー通信の動作する周波数が選好帯域に含まれるのか否かを判断する。若し、選好帯域の場合、端末２０１は２１５段階に進行して干渉通信(ｉｎｔｅｒｆｅｒｉｎｇ  ＣＴ)を直ちに始める。又は、もう動作の中であれば動作を持続する。
【００２７】
一方、若し選好帯域ではない場合(或いは非選好帯域の場合)、すなわち、干渉通信(ｉｎｔｅｒｆｅｒｉｎｇ  ＣＴ)が現在遂行中のセルラー通信にあらかじめ決定された臨界値以上の干渉を与えている場合、端末２０１は選好帯域中の何れかの１つの帯域でハンドオーバーをする前まで、干渉通信(ｉｎｔｅｒｆｅｒｉｎｇ  ＣＴ)のスタートを遅延させることができる。
【００２８】
上記動作のために端末２０１は２０９段階で、干渉情報報告メッセージを生成して基地局に送信することができる。この場合、上記干渉情報報告メッセージは選好帯域リスト及び/又は非選好帯域リスト及び/又は干渉通信(ｉｎｔｅｒｆｅｒｉｎｇ  ＣＴ)の種類を識別する識別子(例えば、無線ＬＡＮ、ＧＰＳ、ブルートゥースの中でどの通信が干渉を発生させるのか)を含むＲＲＣ(Ｒａｄｉｏ  Ｒｅｓｏｕｒｃｅ  Ｃｏｎｔｒｏｌ:ＬＴＥシステムで２階層制御を担当する階層;以下、ＲＲＣと称する)メッセージであることができる。
ここで非選好帯域はセルラー通信を遂行することにおいて干渉通信(ｉｎｔｅｒｆｅｒｉｎｇ  ＣＴ)の干渉を受けることができる帯域を意味し、より具体的には干渉通信(ｉｎｔｅｒｆｅｒｉｎｇ  ＣＴ)の使用帯域よりｘＭＨｚ以下に落ちている帯域を意味することができる(上記説明参照)。
【００２９】
上記ＲＲＣメッセージを受信した基地局２０３は、現在上記端末２０１がセルラー通信のために動作する帯域が選好する帯域なのか否かを確認する。
【００３０】
若し、端末２０１が選好する帯域で動作している場合、基地局２０３は上記端末２０１の選好帯域を貯蔵し、以後上記端末２０１のハンドオーバーが必要な場合、ターゲット基地局を決定することにできる。
【００３１】
若し、端末２０１が選好する帯域で動作していない場合、基地局２０３は上記端末２０１が選好する帯域でハンドオーバーが可能であるか、否かを確認する。若し、可能であれば、基地局２０３は２１１段階を通じて干渉情報報告応答メッセージを端末２０１に送信して上記端末２０１のハンドオーバー手続きを指示する。上記干渉情報報告応答メッセージは上記端末２０１のハンドオーバーをするか否かに対する情報を含むＲＲＣメッセージであることができる。
【００３２】
ハンドオーバーが完了すれば、端末２０１は２１５段階で干渉通信(ｉｎｔｅｒｆｅｒｉｎｇ  ＣＴ)を始めることができる。すなわち、ハンドオーバー後、端末２０１は異種の通信技術(例えば、ＬＴＥとｉｎｔｅｒｆｅｒｉｎｇ  ＣＴ)を同時に使用することができる。
【００３３】
以後、端末２０１が２１７段階で干渉通信(ｉｎｔｅｒｆｅｒｉｎｇ  ＣＴ)動作が中止されたことを感知すれば、端末２０１は２１９段階で上記選好帯域(或いは非選好帯域)がこれ以上必要ではないという情報及び/又は上記干渉通信(ｉｎｔｅｒｆｅｒｉｎｇ  ＣＴ)動作が停止したことをＲＲＣメッセージを通じて基地局２０３に知らせる。これを受信した基地局２０３は該当の端末２０１に適用した選好(或いは非選好)帯域に関連される制約事項を解除する。
【００３４】
一方、若し、端末２０１を選好帯域でハンドオーバーさせるのが可能ではない場合(選好帯域に動作する基地局の使用可能資源が不足であるなどの理由により)、上記基地局２０３は２１３段階で上記端末に選好する帯域でハンドオーバーをさせないことをＲＲＣメッセージを通じて知らせる(２１３)。これを受信した端末はこの事実を使用者に知らせ、使用者が最終的に干渉通信(ｉｎｔｅｒｆｅｒｉｎｇ  ＣＴ)を始めるかどうかを決定するようにする。
【００３５】
上記説明では干渉通信(ｉｎｔｅｒｆｅｒｉｎｇ  ＣＴ)がセルラーシステム(例えば、ＬＴＥ/ＵＭＴＳ/ＧＳＭ（登録商標）)に接続されている端末に干渉を及ぼすことを減らす方法に対して説明した。一方、干渉通信(ｉｎｔｅｒｆｅｒｉｎｇ  ＣＴ)はセルラーシステムに接続されていない休止状態(ｉｄｌｅ  ｍｏｄｅ)の端末にも影響を与えることができる。例えば、休止状態の間、セルラーシステム基地局から受信すべき信号を干渉信号(ｉｎｔｅｒｆｅｒｉｎｇ  ＣＴ)の干渉信号によって受けることができない場合がそういう例である。
【００３６】
以下の発明内容は休止状態の端末が干渉通信(ｉｎｔｅｒｆｅｒｉｎｇ  ＣＴ)が動作している帯域と引接したセルラー網帯域で動作する基地局で‘キャンプオン’(Ｃａｍｐ  ｏｎ:電話或いはデータなどを受信するために休止状態の端末機が１つの基地局に待機している状態;以下、‘キャンプオン’と称する)をしないようにすることである。上記内容は、端末がセル選択/再選択優先順位を調節するとか、端末が特定(干渉の憂慮がある)周波数帯域をセル再選択の際、除外することによって可能である。上記内容に追加して端末はネットワークに接続手続きを終了して、接続モードで遷移した場合、選好(或いは非選好)帯域を報告することができる。
【００３７】
図３は、本発明で提案するセルラー網に休止状態(ｉｄｌｅ  ｓｔａｔｅ)にある端末３０１の干渉回避過程を示すフローチャートである。下記内容は端末 (ＵＥ)３０１と基地局 (ＥＮＢ)３０３の動作に関する説明である。
【００３８】
まず、休止状態にある端末３０１が３０５段階で第２通信モジュールが駆動されることを感知する。これは休止状態の端末３０１が干渉通信(ｉｎｔｅｒｆｅｒｉｎｇ  ＣＴ)が始まることを感知することを意味する。上記感知方法でＧＰＳ或いは無線ＬＡＮ或いはブルートゥースのスタートボタン(或いは電源ボタン)を使用者がオンすることを感知する方法があり得て、或いはセルラー基地局からの受信信号を測定しながら感知する方法も使用されることができる。
【００３９】
感知の後、端末３０１は３０７段階で選好帯域と非選好帯域を判断する。この場合、選好帯域と非選好帯域を区分する基準は上述したので詳しい説明を略する。
【００４０】
次いで、端末３０１は３０９段階で、非選好帯域に動作するセルに‘キャンプオン’することを最小化するように、非選好帯域に対して最低値のセル選択/再選択優先順位を設定する。
【００４１】
ここで、上記セル選択/再選択優先順位は休止状態の端末３０１が特定周波数帯域或いは特定セルラー通信網にキャンプオンする程度を調整することで基地局３０３が端末３０１に提供する。端末３０１は現在キャンプオンしているセルの周波数帯域の優先順位と現在地域で提供される他の周波数帯域の優先順位を比べ、優先順位が高い周波数帯域のチャンネル状況が所定の基準値より高い場合、たとえ優先順位が低い周波数帯域のチャンネル状況がより良いと言っても優先順位が高い周波数帯域を優先的に選択する技法である。
【００４２】
したがって、本発明の実施例で端末３０１が非選好周波数帯域の優先順位を最低値で設定するということは、周辺に所定の品質以上のチャンネルを提供する他の周波数帯域が存在する限り、上記非選好周波数帯域にはキャンプオンしないということを意味する。すなわち、端末３０１は現在キャンプオンしたセルの周波数帯域と現在キャンプオンしたセルのシステム情報から提供される周辺周波数帯域を参照し、上記周波数帯域の中で非選好周波数帯域に該当する周波数帯域がある場合、上記周波数帯域に対して割り当てられているセル選択/再選択優先順位を無視して最低のセル選択/再選択優先順位を設定する。
【００４３】
以後、端末３０１は継続休止状態を維持しながら、接続状態で遷移する。このために、端末３０１は３１１段階でＲＲＣ連結設定要請メッセージ(ＲＲＣ ｃｏｎｎｅｃｔｉｏｎ  ｓｅｔｕｐ ｒｅｑｕｅｓｔ)を基地局(３０３)に送信する。それでは基地局３０３は３１３段階でＲＲＣ連結設定メッセージを端末３０１に送信する。それでは端末３０１はこれに対応して３１５段階で、ＲＲＣ連結設定完了メッセージ(ＲＲＣ ｃｏｎｎｅｃｔｉｏｎ  ｓｅｔｕｐ  ｃｏｍｐｌｅｔｅ)を基地局３０３に送信する。ここで端末３０１は、３１５段階を通じて端末３０１が選好する帯域及び/又は非選好する帯域及び/又は干渉通信(ｉｎｔｅｒｆｅｒｉｎｇ  ＣＴ)識別子を含むＲＲＣメッセージを基地局３０１に報告する。
【００４４】
この時、上記報告内容は、非選好帯域への不必要なハンドオーバーを阻むため、できる限り速やかに基地局３０１に報告すべきである。端末３０１が基地局３０３に接続する時、ＬＴＥセルラー網に対して最小送信するメッセージが３１１段階で送信するＲＲＣ連結設定要請(ＲＲＣ ｃｏｎｎｅｃｔｉｏｎ  ｓｅｔｕｐ ｒｅｑｕｅｓｔ)メッセージである。しかし、 上記メッセージはメッセージサイズに制限があるので、上記報告情報を含むことに適合しない。したがって、上記報告情報を含むことに最適のメッセージは３１５段階で送信するＲＲＣ連結設定完了(ＲＲＣ ｃｏｎｎｅｃｔｉｏｎ  ｓｅｔｕｐ ｃｏｍｐｌｅｔｅ)メッセージである。したがって、本発明の実施例では端末３０１がＲＲＣ連結設定完了(ＲＲＣ ｃｏｎｎｅｃｔｉｏｎ  ｓｅｔｕｐ ｃｏｍｐｌｅｔｅ)メッセージに上記報告情報を含んで送信する。
【００４５】
一方、基地局３０３は端末３０１のＲＲＣ連結設定(ＲＲＣ ｃｏｎｎｅｃｔｉｏｎ  ｓｅｔｕｐ)要請を拒否することもできる。この場合、基地局３０３は、端末からＲＲＣ連結設定要請(ＲＲＣ ｃｏｎｎｅｃｔｉｏｎ  ｓｅｔｕｐ ｒｅｑｕｅｓｔ)メッセージを受信した後、ＲＲＣ連結設定拒絶(ＲＲＣ ｃｏｎｎｅｃｔｉｏｎ  ｓｅｔｕｐ ｒｅｊｅｃｔ) メッセージを送信する。上記メッセージは次の接続を試みる時、接続試図をすべき周波数帯域に関する情報を含む。これは端末３０１が次の接続試図を無線資源が不足ではない(少し混む)基地局を通じて遂行するように誘導するためである。しかし、上記リダイレクション(ｒｅｄｉｒｅｃｔｉｏｎ)のためのＲＲＣ連結設定拒絶(ＲＲＣ ｃｏｎｎｅｃｔｉｏｎ  ｓｅｔｕｐ ｒｅｊｅｃｔ)メッセージはＲＲＣ連結設定完了(ＲＲＣ ｃｏｎｎｅｃｔｉｏｎ  ｓｅｔｕｐ ｃｏｍｐｌｅｔｅ)メッセージ受信の前に送信され、ＲＲＣ連結設定拒絶(ＲＲＣ ｃｏｎｎｅｃｔｉｏｎ  ｓｅｔｕｐ ｒｅｊｅｃｔ)メッセージが上記端末３０１の非選好帯域で次の接続試図を命令する場合が発生することができる。この場合, 端末３０１はＲＲＣ連結設定拒絶(ＲＲＣ ｃｏｎｎｅｃｔｉｏｎ  ｓｅｔｕｐ ｒｅｊｅｃｔ) メッセージのリダイレクション(ｒｅｄｉｒｅｃｔｉｏｎ)情報を無視し、選好帯域の中で任意の帯域を選択して接続を試みるようにする。
【００４６】
図４Ａは本発明の実施例によってセルラーシステムに接続した端末の干渉制御過程を示すフローチャートである。
【００４７】
図４Ａに示す実施例では端末２０１が４０１段階でセルラーシステムに接続されたことを仮定する。そして、４０３段階で、端末２０１に干渉が発生したのか否かを受信信号測定をするとか、異種網通信技術から該当の情報を受信して確認する。
【００４８】
そして、端末２０１は４０５段階で、受信信号測定を通じて異種通信網からの干渉が感知されるとか、又は異種通信網の電源がオンした事実を確認すれば、４０７段階で基地局２0３に干渉情報報告メッセージを送信して干渉情報(選好及び/又は非選好帯域に関する情報、ｉｎｔｅｒｆｅｒｉｎｇ  ＣＴの識別子或いは受信信号測定結果値)を報告する。上記選好又は非選好帯域に関する情報は例えば、選好又は非選好帯域と関連されたＡＲＦＣＮ (Ａｂｓｏｌｕｔｅ Ｒａｄｉｏ Ｆｒｅｑｕｅｎｃｙ Ｃｈａｎｎｅｌ Ｎｕｍｂｅｒ)或いは選好/非選好帯域の周波数帯域番号(ＬＴＥの場合、３６.３３１に定義されたｂａｎｄＥＵＴＲＡ)であることがある。
【００４９】
この後、端末２０１は４０９段階で、制限時間内に基地局２0３から干渉情報報告応答メッセージが受信されるのか否かを判断し、応答がない場合には４０３段階に復帰して以下の手続きを再遂行する。
【００５０】
一方、制限時間内に基地局２0３から干渉情報報告応答メッセージが受信される場合、端末は４１１段階で進行する。上記干渉情報報告応答メッセージがハンドオーバー命令を含む場合、端末２０１は４１３段階で進行して基地局２０３の命令に従ってハンドオーバーを遂行する。
【００５１】
一方、干渉情報報告応答メッセージがハンドオーバー命令ではない、ハンドオーバーできないというメッセージを受信すれば、４１５段階で進行して手続きを終了する(４１５)。
【００５２】
図４Ｂは本発明の実施例によって基地局２０３がセルラーに接続した端末２０１の干渉を制御する過程を示すフローチャートである。
【００５３】
まず、基地局２０３は４５１段階で、ＲＲＣ連結手続きを通じて端末２０１の接続試図を許容する。そして、基地局２０３は４５３段階で、端末２０１から送信される干渉情報報告メッセージを受信する。上記干渉情報報告メッセージは選好帯域リスト及び/又は非選好帯域リスト、干渉通信(ｉｎｔｅｒｆｅｒｉｎｇ  ＣＴ)の識別子、又は受信信号測定結果値の中で少なくとも１つを含む。
【００５４】
それでは基地局２０３は４５５段階で、端末２０１から送信された上記干渉情報を用いて上記端末２０１のハンドオーバーであるか否かを決定する。若し、ハンドオーバーを遂行する場合、基地局２０３は４５７段階で上記端末２０１の選好帯域におけるハンドオーバーが可能であるか否かを判断する。ハンドオーバーが可能な場合、基地局２０３は４６１段階で進行して端末２０１にハンドオーバーを命令する。すなわち、基地局２０３はハンドオーバー命令を含む干渉情報報告応答メッセージを端末に送信する。一方、ハンドオーバーが可能ではない場合、基地局２０３は４５９段階で、ハンドオーバーが不可能であるという情報を含む干渉情報報告応答メッセージを端末２０１に送信する。
【００５５】
図５は、本発明の実施例によってセルラーシステムに対して休止状態にある端末３０１の干渉制御過程を示すフローチャートである。
【００５６】
５０１段階に示すように、図５Ａでは端末３０１が休止状態なのを仮定する。そして、端末３０１は５０３段階で干渉するか否かを受信信号測定を通じて確認するとか、異種通信モジュールから該当の情報を受信し、これによって５０５段階で選好する(及び/又は非選好する)帯域を選定する。そして、端末３０１は５０７段階で、上記選好及び/又は非選好帯域によって基地局接続優先順位を決定し、決定された優先順位によって５０９段階で基地局３０３を選択する。
【００５７】
そして、端末３０１はネットワーク進入手続きを遂行するため、５１１段階でＲＲＣ連結設定要請(ＲＲＣ ｃｏｎｎｅｃｔｉｏｎ  ｓｅｔｕｐ ｒｅｑｕｅｓｔ)メッセージを送信する。メッセージ送信後、端末３０１がＲＲＣ連結設定(ＲＲＣ ｃｏｎｎｅｃｔｉｏｎ  ｓｅｔｕｐ)メッセージ或いはＲＲＣ連結拒絶(ＲＲＣ ｃｏｎｎｅｃｔｉｏｎ ｒｅｊｅｃｔ)メッセージを受信することができなかった場合には５１１段階に復帰してＲＲＣ連結設定要請(ＲＲＣ ｃｏｎｎｅｃｔｉｏｎ  ｓｅｔｕｐ ｒｅｑｕｅｓｔ)メッセージを再送信する。
【００５８】
一方、端末３０１がＲＲＣ連結設定(ＲＲＣ ｃｏｎｎｅｃｔｉｏｎ  ｓｅｔｕｐ)メッセージを受信した場合には５１７段階で進行し、ＲＲＣ連結設定完了(ＲＲＣ ｃｏｎｎｅｃｔｉｏｎ  ｓｅｔｕｐ ｃｏｍｐｌｅｔｅ)メッセージに選好(又は非選好)帯域及び/又は干渉通信(ｉｎｔｅｒｆｅｒｉｎｇ  ＣＴ)の識別子及び/又は受信信号測定値を含んで基地局３０１に報告し、５２５段階で該当の手続きを完了する。
【００５９】
一方、５１５段階でＲＲＣ連結拒絶(ＲＲＣ ｃｏｎｎｅｃｔｉｏｎ ｒｅｊｅｃｔ)メッセージを受信した場合、端末３０１は５１９段階で進行して他の周波数帯域での命令が含まれたリダイレクション (ｒｅｄｉｒｅｃｔｉｏｎ)情報が含まれたのか否かを判断する。含まれた場合、端末３０１は５２１段階で自分が設定した非選好帯域とリダイレクション (ｒｅｄｉｒｅｃｔｉｏｎ)情報が同様であるか否かを判断し、相違する場合には、５２３段階で進行してリダイレクション (ｒｅｄｉｒｅｃｔｉｏｎ)情報を貯蔵し、次のネットワーク進入時、該当の情報を活用する。
【００６０】
一方、５２１段階で、端末３０１が設定した非選好帯域とリダイレクション (ｒｅｄｉｒｅｃｔｉｏｎ)情報が同様の場合には、基地局３０３から受信したリダイレクション情報を無視し、５２５段階で進行して該当の手続きを完了する。
【００６１】
図５Ｂは本発明の実施例によって基地局３０３がセルラーシステムに対して休止状態にある端末３０１の干渉を制御過程を示すフローチャートである。
【００６２】
まず、基地局３０３が５５１段階で、任意の端末３０１からネットワーク進入要請を受信したことを仮定する。そして、基地局３０３は５５３段階で、受信信号測定値及び/又は選好する及び/又は非選好する帯域の情報及び/又は干渉通信(ｉｎｔｅｒｆｅｒｉｎｇ  ＣＴ)の識別子に対する値を受信したのか否かを判断(端末手続きの５１７段階に対応)する。受信した場合、基地局３０３は５５５段階で進行し、該当の値を貯蔵する。
【００６３】
以後、端末３０１はネットワーク進入手続きを終了し、５５７段階でハンドオーバー等のために基地局３０３で継続信号強度を報告する。基地局３０３は端末３０１が送信した信号強度を考慮し、５５９段階を通じて端末３０１のハンドオーバーが必要であると判断される場合、基地局３０３は５６１段階に進行して以前段階５５３から端末３０１から受信した干渉情報があるのか否かを判断する。受信した情報がある場合、基地局３０３は５６３段階で進行し、５５５段階で貯蔵した干渉情報を基づいてターゲット基地局を選択して端末３０１にハンドオーバーを命令する。
【００６４】
図６は、本発明の実施例による端末の内部構造を示すブロック図である。
【００６５】
図６に示すように、本発明の実施例による端末は第１通信モジュールと第２通信モジュールを備えることができる。上記第１通信モジュールは移動基地局を使用するセルラー通信を遂行するためのモジュールである。そして、上記第２通信モジュールは端末のセルラー通信(例えば、ＬＴＥ通信)に対して干渉を与える可能性がある通信を遂行する無線ＬＡＮ(Ｗｉ−Ｆｉ)モジュール、ブルートゥースモジュール、ＧＰＳ(Ｇｌｏｂａｌ Ｐｏｓｉｔｉｏｎｉｎｇ Ｓｙｓｔｅｍ)モジュールの中で少なくとも１つを含むことができる。ここで、上記第２通信モジュールは図６に示すように干渉装置(ｉｎｔｅｒｆｅｒｉｎｇ  ＣＴ)で称することもできる。
【００６６】
端末は上位階層６０５とデータなどを送受信し、制御メッセージ処理部６０７を通じて基地局と制御メッセージを送受信する。送信の際、制御部６０９の制御によって多重化装置６０３を通じて多重化後、送信機６０１を通じてデータを送信する。
【００６７】
一方、受信の時、制御部６０９の制御によって受信機６０１で物理信号を受信した後、逆多重化装置６０３で受信信号を逆多重化し、それぞれメッセージ情報によって上位階層６０５或いは制御メッセージ処理部６０７に伝達する。
【００６８】
本発明の実施例によれば、干渉通信装置(ｉｎｔｅｒｆｅｒｉｎｇ  ＣＴ)６１３が直接干渉(Ｉｎｔｅｒｆｅｒｉｎｇ  ＣＴ)感知/判断部６１１に第２通信モジュールの電源がオンするとか動作が始まることを知らせることができる。又は干渉通信装置(ｉｎｔｅｒｆｅｒｉｎｇ  ＣＴ)６１３が送信する信号６１５が第１通信モジュールの送受信機６０１に強い干渉信号と作用し(６１７)、これを感知した制御部６０９が干渉状況を干渉通信(Ｉｎｔｅｒｆｅｒｉｎｇ  ＣＴ)感知/判断部６１１に直接知らせることができる。
【００６９】
第２通信モジュールとの干渉を感知した干渉通信(Ｉｎｔｅｒｆｅｒｉｎｇ  ＣＴ)感知/判断部(611)は干渉通信(ｉｎｔｅｒｆｅｒｉｎｇ  ＣＴ)を回避すべきであるか否かを判断するようになり、回避する必要がある場合これを制御部６０９に知らせる。この場合、干渉通信(Ｉｎｔｅｒｆｅｒｉｎｇ  ＣＴ)感知/判断部６１１はあらかじめ設定された臨界値以上に干渉影響がある場合、干渉を回避する必要がある場合で判断することができる。それでは制御部６０９は端末の状態(接続モード、休止モード)によってどんな制御メッセージ処理部に干渉通信(ｉｎｔｅｒｆｅｒｉｎｇ  ＣＴ)関連情報を含むかを制御メッセージ処理部６０７に知らせて基地局が該当の情報が分かるように送信する。
【００７０】
より具体的に、端末が接続モードの場合、制御部６０９は第２通信モジュールに対する駆動要請受信時、上記第１通信モジュールの通信に干渉を与えないように上記第２通信モジュールの駆動を制御する。このために、制御部６０９は第１通信モジュールと第２通信モジュールが動作する周波数帯域を用いて選好帯域又は非選好帯域を選定し、上記選好帯域又は非選好帯域の中で少なくとも１つの情報を含む干渉情報を生成して基地局で送信するように制御する。この場合、制御部６０９は第２通信モジュールが動作する周波数帯域が上記第１通信モジュールが動作する周波数帯域からあらかじめ設定された距離以上に離隔された周波数帯域を選好帯域で選定することができる。一方、制御部６０９は上記第２通信モジュールが動作する周波数帯域が上記第１通信モジュールが動作する周波数帯域からあらかじめ設定された距離以内に離隔された周波数帯域を非選好帯域で選定することができる。
【００７１】
また、制御部６０９は第１通信モジュールが動作する周波数帯域が選好帯域の場合、上記第２通信モジュールを駆動させるように制御する。
【００７２】
一方、制御部６０９は第１通信モジュールが動作する周波数帯域が非選好帯域の場合、上記基地局からハンドオーバー命令が受信されるのか判断してハンドオーバー命令受信時選好帯域でハンドオーバーするように制御する。
【００７３】
端末が休止モードの場合、制御部６０９は選好帯域又は非選好帯域によって基地局接続に対する優先順位を設定する。この場合、制御部６０９は非選好帯域を基地局接続に対して最低の優先順位で設定することができる。
【００７４】
以後、基地局に接続する時、制御部６０９は端末が接続状態で遷移するために基地局にＲＲＣ連結設定要請メッセージを送信するように制御することができる。そして、制御部６０９は上記送信に対応して基地局からＲＲＣ連結設定メッセージ受信時、上記選好帯域又は非選好帯域の中で少なくとも１つの情報を含むＲＲＣ連結設定完了メッセージを上記基地局に送信するように制御することができる。
【００７５】
そして、制御部６０９はＲＲＣ連結設定要請メッセージ送信に対応して基地局からＲＲＣ連結拒絶メッセージ受信時、ＲＲＣ連結拒絶メッセージに含まれたリダイレクション (ｒｅｄｉｒｅｃｔｉｏｎ)情報を確認することができる。もし、端末の非選好帯域と間リダイレクション情報が相違する場合、制御部６０９は上記リダイレクション情報を貯蔵するように制御することができる。
【００７６】
図７は、本発明の実施例による基地局の内部構造を示すブロック図である。図７に示すように、本発明の基地局は送受信部７１０、貯蔵部７２０、制御部７３０を含むことができる。
【００７７】
送受信部７１０は基地局と端末、又は基地局とセルラー網ノードの間のメッセージ送受信を遂行する。このために、送受信部７１０は有線又は無線インターフェースを含むことができる。
【００７８】
貯蔵部７２０は本発明の実施例によって基地局が動作することに必要なプログラム等を貯蔵することができる。本発明の実施例によれば、上記貯蔵部７２０は特に端末から送信される干渉情報を貯蔵することができる。上記干渉情報は端末の選好帯域リスト及び/又は非選好帯域リスト及び/又は干渉通信識別子を含むことができる。
【００７９】
制御部７３０は基地局動作の全般的な動作を制御する。特に、制御部７３０は基地局が端末に発生する干渉を制御するために干渉制御部７３１をさらに備えることができる。
【００８０】
干渉制御部７３１とは端末が接続状態にある場合、端末から送信される干渉情報報告メッセージの受信を感知する。そして干渉制御部７３１は端末から送信された上記干渉情報を用いて上記端末のハンドオーバーであるか否かを決定する。ハンドオーバー遂行を決めた場合、干渉制御部７３１とは端末が選好帯域でハンドオーバーすることができるのか否かを判断する。選好帯域におけるハンドオーバーが可能な場合、干渉制御部７３１は端末にハンドオーバーを命令する。すなわち、干渉制御部７３１はハンドオーバー命令を含む干渉情報報告応答メッセージを端末に送信する。一方、ハンドオーバーが可能ではない場合、干渉制御部７３１はハンドオーバーが不可能であるという情報を含む干渉情報報告応答メッセージを端末に送信するように制御する。
【００８１】
一方、干渉制御部７３１は端末が休止状態にある任意の端末からネットワーク進入要請を受信したことを感知することができる。それでは干渉制御部７３１は受信信号測定値及び/又は選好する及び/又は非選好する帯域の情報及び/又は干渉通信(ｉｎｔｅｒｆｅｒｉｎｇ  ＣＴ)の識別子に対する値を受信したのか否かを判断する。受信した場合、干渉制御部７３１は該当の値を貯蔵部７２０に貯蔵する。
【００８２】
そして干渉制御部７３１は端末から送信される信号強度を受信して貯蔵し、端末のハンドオーバーであるか否かを判断する。端末のハンドオーバーが必要な場合、干渉制御部７３１は上記端末から受信した干渉情報を用いてターゲット基地局へのハンドオーバーを命令する。上記提案する方式を使用する場合、現在干渉状況或いは潜在的な干渉要因から干渉を回避して干渉を最小化してセルラー網と通信することができる長所がある。
【００８３】
本発明の詳細な説明では具体的な実施例に関して説明したが、本発明の範囲から外れない限、さまざまな変形も可能である。よって、本発明の範囲は説明した実施例に限定されず、後述する特許請求の範囲だけではなく、この特許請求の範囲と均等なものなどによって決まるべきである。
【符号の説明】
【００８４】
６０３    多重化及び逆多重化装置
６０５    上位階層装置
６０７    制御メッセージ処理部
６０９    制御部
６１１    感知判断部
６１３    装置
７１０    送受信部
７２０    貯蔵部
７３０    制御部
７３１    干渉制御部
【図１】
0005955321.tif 000002
【図２】
0005955321.tif 000003
【図３】
0005955321.tif 000004
【図４Ａ】
0005955321.tif 000005
【図４Ｂ】
0005955321.tif 000006
【図５Ａ】
0005955321.tif 000007
【図５Ｂ】
0005955321.tif 000008
【図６】
0005955321.tif 000009
【図７】
0005955321.tif 000010